(57)【特許請求の範囲】
【請求項１】
ソフトウエア記憶手段（２３）に記憶されているソフトウエアにしたがって測定を行う測定器（２０、４０Ａ〜４０Ｃ）において、
前記ソフトウエア記憶手段に記憶されているソフトウエアの種別を表し、且つ同型の測定器について共通な情報を認証情報として記憶している認証情報記憶手段（２６）と、
外部の記憶媒体（１０）にアクセスするためのアクセス手段（２７）と、
前記アクセス手段を介して前記記憶媒体の特定領域に記憶されている情報を読み出し、該読み出した情報が前記認証情報記憶手段に記憶されている認証情報に一致するか否かを判定する認証情報判定手段（３０）と、
前記認証情報判定手段によって前記記憶媒体の特定領域に記憶されている情報が前記認証情報と一致すると判定されたときのみ、前記特定領域に記憶されている情報に対応付けられて前記記憶媒体に記憶されているソフトウエアを読み出し、該読み出したソフトウエアで前記ソフトウエア記憶手段の内容を更新するソフトウエア更新手段（３１）とを備え、
前記特定領域に前記認証情報が記憶されている単一の記憶媒体により、複数台のソフトウエアを共通に更新できるようにしたことを特徴とする測定器。
【発明の詳細な説明】
【０００１】
【発明の属する技術分野】
本発明は、ソフトウエアにしたがって測定対象に対する測定を行う測定器において、更新用のソフトウエアを記憶している記憶媒体を各測定器毎に供給する無駄を省き、且つソフトウエアの違法使用を防ぐための技術に関する。
【０００２】
【従来の技術】
近年製造されている各種の測定器は、マイクロコンピュータ構成の制御部が予めメモリに記憶されているソフトウエア（プログラムとデータからなる）のプログラムを実行することで測定部の制御や測定結果に対する処理を行っている。
このようにソフトウエアに依存して動作する測定器では、その動作に不具合が生じた場合やソフトウエアのバージョンアップがあった際に、測定器にソフトウエアを新たにインストールする必要が生じる。
【０００３】
このため、従来では、測定器のメーカー側からユーザに対して、バックアップ用やバージョンアップ用のソフトウエアが記憶されている記憶媒体を測定器１台毎に提供しており、また、測定器にはメーカ側から提供された記憶媒体に記憶されているソフトウエアで測定器内のソフトウエアを更新するための手段が設けられていた。
【０００４】
【発明が解決しようとする課題】
しかしながら、上記のように測定器１台毎にバックアップ用や更新用のソフトウエアを提供する方法では、例えば同一測定器を複数台有しているユーザに対して実質的に同一のソフトウエアを記憶している記憶媒体を各測定毎に１つずつ提供しなければならず、しかも、ユーザー側でもどの記憶媒体をどの測定器に用いるかの区別が難しく、ソフトウエア管理が煩雑になるという問題があった。
【０００５】
本発明は、この問題を解決して、たとえ複数の同一測定器のソフトウエアを更新する場合でも共通の記憶媒体を用いることができ、ユーザ側でのソフトウエア管理が簡単な測定器を提供することを目的としている。
【０００６】
【課題を解決するための手段】
前記目的を達成するために、本発明の測定器は、
ソフトウエア記憶手段（２３）に記憶されているソフトウエアにしたがって測定を行う測定器（２０、４０Ａ〜４０Ｃ）において、
前記ソフトウエア記憶手段に記憶されているソフトウエアの種別を表し、且つ同型の測定器について共通な情報を認証情報として記憶している認証情報記憶手段（２６）と、
外部の記憶媒体（１０）にアクセスするためのアクセス手段（２７）と、
前記アクセス手段を介して前記記憶媒体の特定領域に記憶されている情報を読み出し、該読み出した情報が前記認証情報記憶手段に記憶されている認証情報に一致するか否かを判定する認証情報判定手段（３０）と、
前記認証情報判定手段によって前記記憶媒体の特定領域に記憶されている情報が前記認証情報と一致すると判定されたときのみ、前記特定領域に記憶されている情報に対応付けられて前記記憶媒体に記憶されているソフトウエアを読み出し、該読み出したソフトウエアで前記ソフトウエア記憶手段の内容を更新するソフトウエア更新手段（３１）とを備え、
前記特定領域に前記認証情報が記憶されている単一の記憶媒体により、複数台のソフトウエアを共通に更新できるようにしている。
【０００７】
【発明の実施の形態】
以下、図面に基づいて本発明の実施の形態を説明する。
図１は、本発明を適用した測定器２０の構成を示している。
【０００８】
図１において、測定部２１は被測定対象に対する測定を測定制御部２２の制御にしたがって行い、その測定結果を測定制御部２２に出力する。
【０００９】
なお、この測定部２１は、測定器２０が例えば信号発生器の場合には、信号源、変調器、周波数変換回路、アッテネータ等から構成され、また、測定器２０が誤り測定器の場合には、データ再生回路、基準符号発生回路、データ比較回路、等から構成される。
【００１０】
測定制御部２２は、測定器２０が起動されるとフラッシュＲＯＭ等からなるソフトウエア記憶手段２３に記憶されているソフトウエアＳｗのプログラムを実行し、操作部２４によって設定される測定条件にしたがって測定部２１が被測定対象に対する測定を行うように制御し、その測定結果に対する各種処理を行うとともに、その処理結果等を表示器２５に表示させる。
【００１１】
認証情報記憶手段２６はＲＯＭあるいはフラッシュＲＯＭ等からなり、ソフトウエア記憶手段２３に記憶されているソフトウエアＳｗの種別（形式名等）を表す情報を、その種別のソフトウエアＳｗの使用および更新を認めるための認証情報Ｃとして予め記憶している。この認証情報Ｃは、測定器２０と同型の測定器全てについて共通な情報である。
【００１２】
アクセス手段２７は、測定制御部２２が実行するソフトウエアを記憶している外部の記憶媒体１０にアクセスするためのものである。
【００１３】
このアクセス手段２７は記憶媒体１０の形式に応じたものであり、例えば記憶媒体１０がメモリカード型の場合には、図２に示すようにその記憶媒体１０を装着するためのコネクタ２７ａと、コネクタ２７ａに装着された記憶媒体１０の記憶内容を読み出す読出手段２７ｂとで構成され、記憶媒体１０がフロッピーディスクやＣＤＲＯＭ等のディスク型の場合には、図３に示すようにその記憶媒体１０を回転駆動するドライブ装置２７ｃと、ドライブ装置２７ｃを介して記憶媒体１０の記憶内容を読み出す読出手段２７ｄとで構成される。
【００１４】
また、図４のように、記憶媒体１０に記憶されているソフトウエアを外部のコンピュータ１５を介して入力させる場合には、その外部のコンピュータ１５との間で通信を行って、記憶媒体１０に記憶されている記憶内容を受信する通信手段２７ｅによって構成される。
【００１５】
なお、図４に示した外部のコンピュータ１５は、ユーザが所有するパーソナルコンピュータだけでなく、インタネットからアクセス可能なメーカ側のサーバでもよい。ただし、コンピュータ１５がサーバの場合、記憶媒体１０はそのサーバ内のハードディスク等で構成され、通信手段２７ｅは、インタネットを介してそのサーバ内のハードディスクにアクセスする。
【００１６】
認証情報判定手段３０は、アクセス手段２７を介して記憶媒体１０の特定領域に記憶されている情報Ｃｘを読み出し、その情報Ｃｘが認証情報記憶手段２６に記憶されている認証情報Ｃに一致するか否かを判定する。
【００１７】
ソフトウエア更新手段３１は、認証情報判定手段３０が情報Ｃｘと認証情報Ｃとの一致を判定したときのみ、その情報Ｃｘに対応付けられて記憶媒体１０に予め記憶されているソフトウエアＳｗ′を読み出し、その読み出したソフトウエアＳｗ′でソフトウエア記憶手段２３の内容を更新する。
【００１８】
なお、認証情報判定手段３０やソフトウエア更新手段３１は、その判定結果や更新の有無を表示器２５に表示して、ユーザにソフトウエアの更新が正しく行われたことを知らせる。
【００１９】
このように構成された測定器２０では、記憶媒体１０の特定領域に記憶されている情報Ｃｘが、測定器内の認証情報記憶手段２６に記憶されている認証情報Ｃと一致すれば、その情報Ｃｘに対応付けられて記憶媒体１０に記憶されているソフトウエアＳｗ′でソフトウエア記憶手段２３の記憶内容が更新される。
【００２０】
したがって、図５に示すように、同一の測定器２０を複数台有しているユーザは、メーカ側から提供された共通の記憶媒体１０を用いて複数台の測定器２０のソフトウエアを更新することができ、その記憶媒体１０に対する管理が極めて簡単になる。また、記憶媒体１０の特定領域に記憶されている情報Ｃｘが認証情報Ｃと一致しない場合には、その記憶媒体によるソフトウエアの更新が規制されるので不正な記憶媒体によるソフトウエアの更新を防止することができる。
【００２１】
なお、上記した測定器２０は、ソフトウエア記憶手段２３に一つのソフトウエアＳｗが記憶されていたが、ハードウエアをオプションとして追加することで機能の追加が可能な多機能型の測定器の場合、各機能毎に独立したソフトウエアを有している場合がある。
【００２２】
このような独立した複数のソフトウエアを有する測定器についても本発明を適用することができる。
【００２３】
例えば、図６に示す測定器４０Ａのソフトウエア記憶手段２３にはユーザの操作にしたがって測定制御部２２が選択的に実行可能な３つの独立したソフトウエアＳｗ１、Ｓｗ２、Ｓｗ３が記憶され、認証情報記憶手段２６には各ソフトウエアＳｗ１、Ｓｗ２、Ｓｗ３の種別をそれぞれ表す認証情報Ｃ１、Ｃ２、Ｃ３が記憶されている。
【００２４】
また、図７に示す測定器４０Ｂのソフトウエア記憶手段２３には上記３つのソフトウエアのうちの２つのソフトウエアＳｗ１、Ｓｗ３が記憶され、認証情報記憶手段２６には各ソフトウエアＳｗ１、Ｓｗ３の種別をそれぞれ表す認証情報Ｃ１、Ｃ３が記憶されている。
【００２５】
また、図８に示す測定器４０Ｃのソフトウエア記憶手段２３には上記３つのソフトウエアのうちの１つのソフトウエアＳｗ１のみが記憶され、認証情報記憶手段２６にはソフトウエアＳｗ１の種別を表す認証情報Ｃ１が記憶されている。
【００２６】
これらの測定器４０Ａ、４０Ｂ、４０Ｃを所有しているユーザに対して、メーカ側が、例えば図９に示しているように、バージョンアップされたソフトウエアＳｗ１′、Ｓｗ２′、Ｓｗ３′と、それらのソフトウエアの種別を表す認証情報Ｃ１、Ｃ２、Ｃ３とが記憶されている共通の記憶媒体１０を提供する（あるいはその記憶媒体１０を内部に有する前記サーバに通信によってアクセスする権利を与えてもよい）。
【００２７】
そして、例えば測定器４０Ａのアクセス手段２７が記憶媒体１０にアクセスできる状態にセットすると、この測定器４０Ａの認証情報判定手段３０が、記憶媒体１０の特定領域に記憶されている情報Ｃ１、Ｃ２、Ｃ３と認証情報記憶手段２６に記憶されている認証情報Ｃ１、Ｃ２、Ｃ３との一致を判定するので、ソフトウエア更新手段３１が、各情報Ｃ１、Ｃ２、Ｃ３にそれぞれ対応付けられて記憶媒体１０に記憶されているソフトウエアＳｗ１′、Ｓｗ２′、Ｓｗ３′を読み出し、その読み出したソフトウエアＳｗ１′、Ｓｗ２′、Ｓｗ３′で、ソフトウエア記憶手段２３に記憶されている３つのソフトウエアＳｗ１、Ｓｗ２、Ｓｗ３をそれぞれ更新する。
【００２８】
また、測定器４０Ｂのアクセス手段２７が記憶媒体１０にアクセスできる状態にセットすれば、この測定器４０Ｂの認証情報判定手段３０が、記憶媒体１０の特定領域に記憶されている情報Ｃ１、Ｃ２、Ｃ３のうちの２つの情報Ｃ１、Ｃ３と認証情報記憶手段２６に記憶されている認証情報Ｃ１、Ｃ３との一致を判定するので、ソフトウエア更新手段３１が、各情報Ｃ１、Ｃ３にそれぞれ対応付けられて記憶媒体１０に記憶されているソフトウエアＳｗ１′、Ｓｗ３′を読み出し、その読み出したソフトウエアＳｗ１′、Ｓｗ３′で、ソフトウエア記憶手段２３に記憶されているソフトウエアＳｗ１、Ｓｗ３をそれぞれ更新する。
【００２９】
また、測定器４０Ｃのアクセス手段２７が記憶媒体１０にアクセスできる状態にセットすれば、この測定器４０Ｃの認証情報判定手段３０が、記憶媒体１０の特定領域に記憶されている情報Ｃ１、Ｃ２、Ｃ３のうちの情報Ｃ１と認証情報記憶手段２６に記憶されている認証情報Ｃ１との一致を判定するので、ソフトウエア更新手段３１が情報Ｃ１に対応付けられて記憶媒体１０に記憶されているソフトウエアＳｗ１′を読み出し、その読み出したソフトウエアＳｗ１′でソフトウエア記憶手段２３に記憶されているソフトウエアＳｗ１を更新する。
【００３０】
このように、独立した複数の機能を有する測定器の場合でも、本発明を適用することで、複数台の測定器に対して共通の記憶媒体を用いて、各測定器が予め有している機能に対応するソフトウエアを選択的に更新することができる。
【００３１】
なお、前記説明では、同型の測定器に対して共通の記憶媒体を用いる場合について説明したが、種類が全く異なる複数の測定器に本発明を適用することも可能である。
【００３２】
例えば、携帯電話機のように無線による通信を行う機器の測定を行うシステムで使用する信号発生器、スペクトラムアナライザ、誤り測定器等について本発明を適用すれば、これらの異種の複数の測定器のソフトウエアの更新を１つの記憶媒体を用いて行うことができる。
【００３３】
【発明の効果】
以上説明したように、本発明の測定器は、
ソフトウエア記憶手段（２３）に記憶されているソフトウエアにしたがって測定を行う測定器（２０、４０Ａ〜４０Ｃ）において、
前記ソフトウエア記憶手段に記憶されているソフトウエアの種別を表し、且つ同型の測定器について共通な情報を認証情報として記憶している認証情報記憶手段（２６）と、
外部の記憶媒体（１０）にアクセスするためのアクセス手段（２７）と、
前記アクセス手段を介して前記記憶媒体の特定領域に記憶されている情報を読み出し、該読み出した情報が前記認証情報記憶手段に記憶されている認証情報に一致するか否かを判定する認証情報判定手段（３０）と、
前記認証情報判定手段によって前記記憶媒体の特定領域に記憶されている情報が前記認証情報と一致すると判定されたときのみ、前記特定領域に記憶されている情報に対応付けられて前記記憶媒体に記憶されているソフトウエアを読み出し、該読み出したソフトウエアで前記ソフトウエア記憶手段の内容を更新するソフトウエア更新手段（３１）とを備え、
前記特定領域に前記認証情報が記憶されている単一の記憶媒体により、複数台のソフトウエアを共通に更新できるようにしている。
【００３４】
このため、同一の測定器を複数台有しているユーザに対して、メーカ側から共通の記憶媒体を提供したりあるいはその記憶媒体に対するアクセス権を与えることで、複数台の測定器のソフトウエアの更新を共通の記憶媒体を用いて行うことができ、そのソフトウエア管理が極めて簡単になる。
【００３５】
また、記憶媒体の特定領域に記憶されている情報が測定器内に記憶されている認証情報と一致しない場合、その記憶媒体によるソフトウエアの更新が規制されるので不正な記憶媒体によるソフトウエアの更新を防止することができる。
【図面の簡単な説明】
【図１】本発明の実施形態の構成を示す図
【図２】実施形態の要部の構成例を示す図
【図３】実施形態の要部の構成例を示す図
【図４】実施形態の要部の構成例を示す図
【図５】実施形態の測定器に対するソフトウエア更新作業を説明するための図
【図６】本発明を適用した多機能型の測定器の構成を示す図
【図７】本発明を適用した多機能型の測定器の構成を示す図
【図８】本発明を適用した多機能型の測定器の構成を示す図
【図９】複数の多機能型の測定器に対するソフトウエア更新作業を説明するための図
【符号の説明】
２０、４０Ａ〜４０Ｃ……測定器、２１……測定部、２２……測定制御部、２３……ソフトウエア記憶手段、２４……操作部、２５……表示器、２６……認証情報記憶手段、２７……アクセス手段、３０……認証情報判定手段、３１……ソフトウエア更新手段
【図１】
0004751542.tif 000002
【図２】
0004751542.tif 000003
【図３】
0004751542.tif 000004
【図４】
0004751542.tif 000005
【図５】
0004751542.tif 000006
【図６】
0004751542.tif 000007
【図７】
0004751542.tif 000008
【図８】
0004751542.tif 000009
【図９】
0004751542.tif 000010